(57)【要約】【課題】患者がかわっても額接触部を清潔に保つことが可能な眼科装置を提供すること。【解決手段】患者の眼の検査、観察等を行う眼科装置において、患者の額を支持する額当て部と、該額当て部にて患者が額を当てる使用位置に移動可能な額当て用の衛生部材と、未使用の前記衛生部材を格納する第１格納部と、使用済みの前記衛生部材を格納する第２格納部と、未使用の前記衛生部材を前記第１格納部から使用位置に移動させ、使用済みの衛生部材を使用位置から第２格納部に移動させる移動手段と、を備える。【選択図】　　　図１
2004089216.tif 000002
【特許請求の範囲】
【請求項１】
患者の眼の検査、観察等を行う眼科装置において、患者の額を支持する額当て部と、該額当て部にて患者が額を当てる使用位置に移動可能な額当て用の衛生部材と、未使用の前記衛生部材を格納する第１格納部と、使用済みの前記衛生部材を格納する第２格納部と、未使用の前記衛生部材を前記第１格納部から使用位置に移動させ、使用済みの衛生部材を使用位置から第２格納部に移動させる移動手段と、を備えることを特徴とする眼科装置。
【請求項２】
請求項１の眼科装置において、前記衛生部材は帯状であり、前記第１格納部及び第２格納部は、帯状の前記衛生部材をロール状に巻き取る巻き取り機構を持つことを特徴とする眼科装置。
【請求項３】
請求項２の眼科装置において、前記衛生部材を第１格納部から引き出す引き出し力を調整する張力調整手段を備えることを特徴とする眼科装置。
【請求項４】
請求項１の眼科装置において、更に患者が眼科装置の被検査位置に位置しているか否か検知する検知手段と、該検知結果に基づいて前記移動手段を駆動する駆動手段と、を備えることを特徴とする眼科装置。
【請求項５】
請求項１の眼科装置において、更に前記衛生部材の移動を指示するスイッチと、該スイッチの信号に基づいて前記移動手段を駆動する駆動手段と、を備えることを特徴とする眼科装置。
【請求項６】
請求項１の眼科装置において、前記額当て部、前記衛生部材、前記第１格納部、前記第２格納部、前記移動手段は一体的に繋がれて額当てユニットとなっており、該額当てユニットは眼科装置に脱着可能であることを特徴とする眼科装置。
【発明の詳細な説明】
【０００１】
【発明の属する技術分野】
本発明は、患者眼を観察、又は検査、又は治療する眼科装置に関する。
【０００２】
【従来技術】
患者眼を観察して診察する眼科装置に、細隙灯顕微鏡（以下、スリットランプ）がある。スリットランプは照明用光源からの照明光を患者眼に投光し、その反射光を顕微鏡で観察するものである。また、光凝固治療等に使用するレーザ治療装置は、このスリットランプを用いて患者眼を観察しながらレーザ治療を行う。また、患者眼を検査する眼科装置として、患者眼の屈折力を測定する屈折力測定装置や角膜曲率を測定する角膜曲率測定装置、患者眼の視野の広さを測定する視野計等がある。
これらの眼科装置では、患者の頭が動かないように固定するため、顎載せ台、及び額当てが眼科装置の患者側に備えられている。顎載せ台には、取替え可能な紙が用意されて、患者がかわるごとに取り替えられ、常に顎載せ台を清潔に保っているものもある。
【０００３】
【発明が解決しようとする課題】
しかしながら、額当て部には顎載せ台のような、清潔を保つための機能がなく、患者がかわるごとに、額接触部を清掃しなければならないという問題があった。
【０００４】
本発明は、上記問題点に鑑み、患者がかわっても額接触部を清潔に保つことが可能な眼科装置を提供することを技術課題とする。
【０００５】
【課題を解決するための手段】
上記課題を解決するために、本発明は以下のような構成を備えることを特徴とする。
（１）　患者の眼の検査、観察等を行う眼科装置において、患者の額を支持する額当て部と、該額当て部にて患者が額を当てる使用位置に移動可能な額当て用の衛生部材と、未使用の前記衛生部材を格納する第１格納部と、使用済みの前記衛生部材を格納する第２格納部と、未使用の前記衛生部材を前記第１格納部から使用位置に移動させ、使用済みの衛生部材を使用位置から第２格納部に移動させる移動手段と、を備えることを特徴とする。
（２）　（１）の眼科装置において、前記衛生部材は帯状であり、前記第１格納部及び第２格納部は、帯状の前記衛生部材をロール状に巻き取る巻き取り機構を持つことを特徴とする。
（３）　（２）の眼科装置において、前記衛生部材を第１格納部から引き出す引き出し力を調整する張力調整手段を備えることを特徴とする。
（４）　（１）の眼科装置において、更に患者が眼科装置の被検査位置に位置しているか否か検知する検知手段と、該検知結果に基づいて前記移動手段を駆動する駆動手段と、を備えることを特徴とする。
（５）　（１）の眼科装置において、更に前記衛生部材の移動を指示するスイッチと、該スイッチの信号に基づいて前記移動手段を駆動する駆動手段と、を備えることを特徴とする。
（６）　（１）の眼科装置において、前記額当て部、前記衛生部材、前記第１格納部、前記第２格納部、前記移動手段は一体的に繋がれて額当てユニットとなっており、該額当てユニットは眼科装置に脱着可能であることを特徴とする。
【０００６】
【発明の実施の形態】
本発明の実施の形態を図面に基づいて説明する。図１はスリットランプの外観を示した図であり、図１（ａ）は患者側から見た正面図、図１（ｂ）は側面図である。
１は照明光学系２や観察光学系３を備えるスリットランプ本体である。４はスリットランプ本体１を移動させるためのジョイスティックである。５は患者の頭を固定させるための患者の顎載せ台である。顎載せ台５は、シャフト６とシャフト７に支持されており、ノブ８を回転することにより上下に移動できる。９はシャフト６とシャフト７を上部で連結するフレームである。１０は患者に一定方向を凝視させて患眼の動きを固定するための固視灯である。１１はスリットランプ本体１の主電源スイッチである。
【０００７】
２０は、額当てユニットである。額当てユニット２０の機構を図２の正面図及び、図３の上面図に示す。尚、制御系ブロック図を図４に示す。
２１及び２２は、額当てユニット２０をそれぞれシャフト６、７に取付けるための支基であり、ネジ２３を締めこむことによって固定されている。支基２１、２２の上部には、それぞれ板金製のベース２４、２５がネジ止めされて固定されている。また、ベース２４、２５の上部にはそれぞれガイド２６、２７が固定されており、ガイド２６、２７には患者の額を支持する樹脂製の額当て支え２８が固定されている。２９はロール状に巻かれた額当て衛生部材であるロールガーゼである。額当て支え２８は、額の形状に合わせて湾曲しており、ロールガーゼ２９から引っ張り出されたガーゼ２９ａをスリットランプ本体１側へそれ以上出ないように制限する役目をしている。
【０００８】
ロールガーゼ２９は、ベース２４に固定された軸３０に台座３１と共に差し込まれ、格納されている。３２及び３３は、ガーゼ２９ａをスリットランプ本体１側へガイドするローラである。ベース２４には、エンコーダ３６が取付けられ、エンコーダ３６の回転軸３４にローラ３２が取付けられている。ローラ３３は、ベース２５に固定された軸３５に回転可能に取付けられている。３７は、ガーゼ２９ａをローラ３２側に押し付け、ガーゼ２９ａの引き出し力を調整するプッシャーローラである。プッシャーローラ３７は、回転板３９に固定された軸３８に回転可能に取付けられている。回転板３９は、ベース２４に固定された軸４０に回転可能に取付けられ、軸３８の反対側には引っ張りバネ４２が取付けられている。引っ張りバネ４２の他端は、ベース２４に固定された軸４１に引っ掛けられて固定されている。この引っ張りバネ４２の作用により、回転板３９が軸４０を中心として回転し、プッシャーローラ３７がローラ３２側に押し付けられる。プッシャーローラ３７をローラ３２側に押し付けることによって、ガーゼ２９ａがローラ３２に押し付けられており、ガーゼ２９ａがローラ３２との接触面で滑ることはない。よって、ガーゼ２９ａの移動量（巻取り量）が、ローラ３２の回転量をエンコーダ３６で測定することによって検出される。また、プッシャーローラ３７をローラ３２側に押し付けることによって、患者が額を当てる部分のガーゼ２９ａの引き出し力を調整している。これにより、ロールガーゼ２９からガーゼ２９ａが余分に出されることを防止している。
【０００９】
ベース２５には、ガーゼ２９ａを移動させるためのモータ４３が取付けられ、モータ４３の回転軸４３ａにローラ４５が取付けられている。ローラ４５には、使用済みのガーゼ２９ａを巻き取り、格納するための巻き取り芯４６が差し込まれ、巻き取り芯４６にはガーゼ２９ａの先端が外れないように固定されている。４９はガーゼ２９ａの巻き取りを指示するスイッチであり、スイッチ４９はベース２５に取付けられている。５１及び５２は、額当てユニット２０を覆って保護するカバーである。
また、図１において、５３は患者がスリットランプ本体１の被観察位置に位置しているかの有無を検知する赤外線センサである。赤外線センサ５３は、赤外線を発光する投光部とその反射光を受光する受光部からなり、受光部での反射光量のレベルによって、患者の有無を検知する。
【００１０】
５４は、額当てユニット２０及び赤外線センサ５１に電源を供給し、それぞれの信号を制御する制御部６０を内蔵するコントロールボックスである。
尚、額当てユニット２０、赤外線センサ５３、コントロールボックス５４は、スリットランプ本体１に容易に脱着可能であり、スリットランプ本体１を購入後にオプション品として後付けも可能である。
以上のような構成を備える装置において、その動作について図４に示す制御系ブロック図を基に簡単に説明する。
【００１１】
まず、術者はスリットランプ本体１の主電源スイッチ１１を入れる。主電源スイッチ１１が入ると、コントロールボックス５４も連動して電源が入る。次に術者は、患者の頭を顎載せ台５に載せ、額がガーゼ２９ａを介して額当て支え２８に接触する様に指示し、固定させる。患者が、額当て支え２８の湾曲に合わせて、最初にガーゼ２９ａに接触した位置からガーゼ２９ａを介して額当て支え２８に当たる位置まで額を前に出すと、その移動量に対応してロールガーゼ２９からガーゼ２９ａが引き出される。プッシャーローラ３７によりガーゼ２９ａの引き出し力を調整しているので、ガーゼ２９ａが額を前に出して引き出される長さ以上にガーゼ２９ａが引き出されることはない。
【００１２】
術者は照明光学系２からの照明光によって照らされた患者の眼底を、観察光学系３を通して観察する。
診察が終了し、スリットランプ本体１の被観察位置から立ち去ると、赤外線センサ５３の信号がＯＮの状態からＯＦＦになる。制御部６０は、この赤外線センサ５３からのＯＮからＯＦＦへの信号により、モータ４３を駆動する。モータ４３の駆動により、ガーゼ２９ａが巻き取り芯４６に巻き取られる。ガーゼ２９ａの移動量（巻取り量）が、ローラ３２の回転量をエンコーダ３６で測定することによって検出され、ガーゼ２９ａの一回分の使用長さ（例えば、回転軸３４から軸３５までの軸間距離）に相当する回転量が検出されると、制御部６０はモータ４３の駆動を停止させる。これにより、次に診察される患者は、清潔なガーゼ２９ａに額を当てて検査を受けることができる。以後、患者が変わるごとに、この動作が繰り返される。
【００１３】
また、術者等が意図して、清潔なガーゼ２９ａに切り替えたい場合は、スイッチ４９を押す。スイッチ４９が押されると、制御部６０は、上記と同様にモータ４３を駆動し、ガーゼ２９ａを一回使用分だけ移動させる。
巻き取り芯４６に巻き取られた使用済みのガーゼ２９ａは、洗浄、殺菌されることにより繰り返し使用できる。
なお、上記発明の実施の形態では、額当て部材をロール状に巻かれたロールガーゼ２９としたが、これに限らず、例えば、ロール状に巻かれた紙等でもよい。
【００１４】
また、上記発明の実施の形態では、ガーゼ２９ａをモータ４３による自動巻取り機構としたが、これに限らず、手動でガーゼ２９ａを巻き取る機構にしてもよい。
また、上記発明の実施の形態では、眼科装置としてスリットランプを例にとったが、本発明はこれに限るものでなく、スリットランプを用いた光凝固治療装置、患者眼の屈折力を測定する屈折力測定装置、角膜曲率を測定する角膜曲率測定装置、患者眼の視野を測定する視野計等の眼科装置にも応用できる。
【００１５】
【発明の効果】
以上説明したように、本発明によれば、患者がかわっても額接触部を清潔に保つことができる。
【図面の簡単な説明】
【図１】スリットランプの外観を示す図である。
【図２】額当てユニットの構成を示す正面図である。
【図３】額当てユニットの構成を示す上面図である。
【図４】額当てユニットの制御系ブロック図である。
【符号の説明】
１　スリットランプ本体
９　フレーム
２０　額当てユニット
２９　ロールガーゼ
２９ａ　ガーゼ
３０　軸
３２　ローラ
３３　ローラ
３７　プッシャーローラ
３８　軸
３９　回転板
４０　軸
４１　軸
４２　引っ張りバネ
４３　モータ
４５　ローラ
４６　巻き取り芯
４９　スイッチ
５１　カバー
５２　カバー
５３　赤外線センサ
６０　制御部
【図１】
2004089216.tif 000003
【図２】
2004089216.tif 000004
【図３】
2004089216.tif 000005
【図４】
2004089216.tif 000006